(57)【要約】  本発明はリターボックスから別個の区画（4）に排泄物を格納することで、清潔なリターから分離するペットの排泄物処理システムである。この実施に必要なのは円筒形（2）の回転である。本システムは動物が生理的要求を満たせる、脱着可能なリタートレイ（3）を有する。リターがある場合でもリターがない場合でも、本システムから着脱可能であり、リターボックスの衛生状態を向上させる洗浄が簡単であり、この着脱可能性は衛生管理を容易にする。動物がリターボックスを出る時に周囲の環境を清潔に保つために、上記の脱着可能なリタートレイ（3）には動物の足に付いたリターを除去できる、動物の出入り用の支持台（6）がある。
2018515149.tif 000002
【特許請求の範囲】
【請求項１】
排泄物を出す、側面に沿った開口部（2.3）を有する回転円筒形（2）および脱着可能なリタートレイ（3）であることを特徴とする、脱着可能なリタートレイを有する動物の排泄物処理の円筒形システム。
【請求項２】
回転円筒形の内部に濾過グリッド（2.2）を伴う内部チャンバー（2.1）を有することを特徴とする、請求項１に記載の、脱着可能なリタートレイを有する動物の排泄物処理の円筒形システム。
【請求項３】
回転円筒形（2）に、動物の出入り用の開口部（2.5）、および着脱可能なリタートレイの挿入と取り外し用の開口部（2.4）を有することを特徴とする、請求項１〜２に記載の、脱着可能なリタートレイを有する動物の排泄物処理の円筒形システム。
【請求項４】
着脱可能なリタートレイに支持台（6）を有することを特徴とする、請求項１〜３に記載の、脱着可能なリタートレイを有する動物の排泄物処理の円筒形システム。
【請求項５】
支持台にグリッド（7）を有することを特徴とする、請求項１〜４に記載の、脱着可能なリタートレイを有する動物の排泄物処理の円筒形システム。
【請求項６】
円筒形システムを支持する基本的構造（1）を含むことを特徴とする、請求項１〜５に記載の、脱着可能なリタートレイを有する動物の排泄物処理の円筒形システム。
【請求項７】
基本的構造（1）に排泄物収集引き出しを含むことを特徴とする、請求項１〜６に記載の、脱着可能なリタートレイを有する動物の排泄物処理の円筒形システム。
【請求項８】
回転により、および手動またはエンジンによっても可能である回転であることを特徴とする、請求項１〜７に記載の、脱着可能なリタートレイを有する動物の排泄物処理の円筒形システム。
【請求項９】
動物用の位置で、かつ排泄物排出の位置で、円筒形回転をブロックするシステムを有することを特徴とする、請求項１〜８に記載の、脱着可能なリタートレイを有する動物の排泄物処理の円筒形システム。
【請求項１０】
形状、サイズ、分別の値が多様である（チャンバーでの、および着脱可能なリタートレイの支持台での）濾過グリッドを特徴とする、請求項１〜９に記載の、脱着可能なリタートレイを有する動物の排泄物処理の円筒形システム。
【請求項１１】
形状、サイズが多様である基本的構造（1）を特徴とする、請求項１〜１０に記載の、脱着可能なリタートレイを有する動物の排泄物処理の円筒形システム。
【請求項１２】
形状が多様であることを特徴とする、請求項１〜１１に記載の、脱着可能なリタートレイを有する動物の排泄物処理の円筒形システム。
【請求項１３】
いかなる種類の材料でも製造できる全体システムを特徴とする、請求項１〜１２に記載の、脱着可能なリタートレイを有する動物の排泄物処理の円筒形システム。
【発明の詳細な説明】
【発明の詳細な説明】
【０００１】
［発明の分野］
本発明は糞便と悪臭のヒトへの暴露を低下させて、排泄物清掃のために人手による取出しの必要が無いリターボックスである。
【０００２】
同時に、本発明は台ホルダーのグリッド（7）を動物が通ることにより、脱着可能なリタートレイ（3）を出る時に動物の足に付着したリター、または取出し時に動物がこぼすリターを原因とする、周囲におけるリターの堆積を低下させる。
【０００３】
本発明はリターがある場合でもリターがない場合でも、本システムから取り外しできる脱着可能な便床トレイ（3）を有しており、衛生管理ができて衛生状態が向上する。
［発明の背景］
近年は世界中で、猫は室内で飼うペットとして最も人気がある。
【０００４】
要求を満たすために1日に数回は外出する必要のある犬とは違って、猫はリターボックスをトイレとして利用することで室内に永住できる。リターボックスは多くの国の多くの家庭で一般的になった。
【０００５】
長年の間、簡単なものから、いわゆる「先進的な」ものまでの複数のリターボックスが発明された。簡単なものは、排泄物を見つけるのにリターの中を人手で掘る排泄物処理を必要とする。簡単でも先進的なものは排泄物の人手による取出しを必要とされないが、自動化はされていない。いわゆる「先進的な」ものでは、この工程は自動化されており人手をほとんど必要としない。
【０００６】
しかし、これらの発明はリタートレイの定期的な衛生管理、リターボックスの周りに散らかったリター、排泄物の人手による取出しなどのペットの所有者が直面する複数の問題を解決しておらず、発明ごとに1つまたは2つの問題の解決策に限定されている。
【０００７】
例えば、米国特許4120264A号は直接的な人手の工程のない排泄物の取り出しに限定されるが、動物がリターボックスを使用した後に、その足から周囲の環境に落ちるリターの問題を解決していない。
【０００８】
また米国特許5662066号、米国特許20140245960号、米国特許6463881号は動物の足に詰まり込んでしまい、周囲の環境に広がるリターの問題を解決していない。基本的に、これらはオートマチックおよび自動化された方法で、直接的な人手による排泄物除去の問題の解決策に限定される。
【０００９】
別の解決策が開発されているが、例えば、直接的な介入なしに、排泄物の容易な除去および動物の足に付着したリターの2つの問題を解決するWO2013160899号などである。しかし、リターボックスのトレイ底にとどまりやすい動物の尿の残留のために、リターボックスに必要な定期的な衛生管理の点で実用的ではない。ボックスを衛生管理するために、システムからリターを別の場所へ移して、全体システムを洗い場に移動する必要がある。
【００１０】
これら新規の発明において、ペットの所有者が処理しなければならない最大の問題の1つとも言える衛生問題に関して、リターボックストレイの衛生管理は忘れられた要因の一つであった。
【００１１】
動物の尿に関しては、リターボックスのトレイ底にとどまりやすい。トレイにリターを加えたとしても、動物は掘り返してゆき、常にリタートレイの底の近くで糞をする。これを防止するのは、ほとんど不可避であり、これが起こると、粒状物（「猫リター」）がトレイの底から取れなくなりやすい。
【００１２】
通常、動物の排泄物の除去が人手で直接的に行われるシステムでは、ペットの所有者はリターをトレイの縁に移動させて、尿が粒状物とトレイの底に接触によるペーストを小さなジョベルで掻き取り、これを捨てるが、先に洗浄することなくリターで再び覆っている。
【００１３】
インテリアアクセスが制限されている、特に自動化している前記の別のシステムでは、ペーストは掻き取られることがなく、清潔なリターが上部にのせられるが、衛生の観点からは決して望ましくない。
【００１４】
これらの点を考慮して、動物の足に付着したリターを回避するか低減して、排泄物処理に人手による取出しの必要がなく、周辺環境がより清潔になり、かつリターがある場合でもリターがない場合でも、定期的な衛生管理が容易で、またリターがない場合は、容易に脱着可能なリタートレイの洗浄がなされ、リターがある場合には、別の位置に移動させることなくシステムの残り部分の洗浄が容易である、脱着可能なリタートレイを有するリターボックスの作製が強く求められる。
1.基本的構造
2.回転円筒形
2.1.  チャンバー
2.2.  チャンバー濾過グリッド
2.3.  回転円筒形横方向開口部
2.4.  取外しできる引き出しの挿入と取り外し用の開口部
2.5.  動物の出入り用の開口部
3.脱着可能なリタートレイ
4.排泄物収集引き出し
5.ラッチ
6.支持台
7.支持台グリッド
8.排泄物
9.粒状物
A.操作位置
B.排出位置
C.粒状物レベリング位置
図１：X線ビジョンでの脱着可能なリタートレイを有する動物の排泄物処理の円筒形システム。
【００１５】
図2：回転円筒形の構成。
【００１６】
図3：パーツ組立を示す、脱着可能なリタートレイを有する動物の排泄物処理の円筒形システム
図4：操作位置にあり、排泄物が脱着可能トレイにある、脱着可能なリタートレイを有する動物の排泄物処理の円筒形システム。
【００１７】
図5：粒状物が脱着可能なトレイから出た後に、チャンバーの内部により細かいものを通過させる濾過グリッドを通過するステージでの、脱着可能なリタートレイを有する動物の排泄物処理の円筒形システム（内部を可視化するのに回転円筒形の前面を部分的にカットして示す）。
【００１８】
図6：清潔な粒状物がチャンバー内にあり、排泄物が外側にあるステージでの、脱着可能なリタートレイを有する動物の排泄物処理の円筒形システム（内部を可視化するのに回転円筒形の前面を部分的にカットして示す）。
【００１９】
図7：排泄物が排泄物の取外しできる引き出しに移動した時で、清潔なリターはチャンバーの内部にあって、かつリターの無いトレイは移動することができる時の、脱着可能なリタートレイを有する動物の排泄物処理の円筒形システム（内部を可視化するのに回転円筒形の前面を部分的にカットして示す）。
【００２０】
図8：リタートレイ内のレベリング位置での、脱着可能なリタートレイを有する動物の排泄物処理の円筒形システム。
［発明の詳細な説明］
下記の発明は下記の構成である：
基本的構造（1）および回転円筒形（2）。基本的構造（1）は全体システムの支持であり、回転円筒形（2）は全体システム内に組み込まれる。
【００２１】
基本的構造（1）の下部には排泄物収集引き出し（4）があり、上部には回転円筒形のカバーを有する。回転円筒形のカバーには動物がリターを掘り返して、回転円筒形（2）の横方向開口部（2.3）を通して周囲にリターが出るのを防止する機能がある。
【００２２】
回転円筒形（2）はリター清掃機構である。回転円筒形（2）の側面に沿った開口部（2.3）があり、この開口部から排泄物が出され、排泄物収集引き出し（4）に向かってゆく。動物の出入り口用の回転円筒形の前部には開口部（2.5）がある。また取外しできるリタートレイの挿入および取り外し用の開口部（2.4）がある。
【００２３】
回転円筒形（2）の内部には、濾過グリッド（2.2）を通して円筒形内部に対する側面の１つの上に開いているチャンバー（2.1）がある。チャンバー（2.1）の機能は排泄物処理作業中に清潔なリターを維持することである。濾過グリッド（2.2）の機能は、グリッドによりサイズがより大きいものをチャンバー（2.1）の外に残して、チャンバーの内部にはサイズがより小さいリターのみを通過させることである。
【００２４】
回転円筒形（2）には、脱着可能なリタートレイ（3）が挿入され、そこには粒状物があって、動物が糞（8）をする。脱着可能なリタートレイ（3）には、その外側に支持台（6）が付いており脱着可能なリタートレイ（3）における動物の出入り用の支持として機能する。この支持台（6）は脱着可能なリタートレイ（3）に直結されている。支持台（6）の上部には、動物が脱着可能なリタートレイ（3）を出て、その足を支持台（6）の上のグリッド（7）にのせると、動物の足に詰まり込んでいるリターを掃除するグリッド（7）があり、足に詰まり込んでいたリターはグリッド（7）を通過したあとは脱着可能なリタートレイ（3）へと戻る。また支持グリッド（6）は脱着可能なリタートレイ（3）のハンドルとして機能する。
【００２５】
脱着可能なリタートレイ（3）が回転円筒形（2）の中に組み込まれ、粒状物を入れて、基本的構造（1）に回転円筒形（2）が組み込まれたら、本システムは使用できる。
【００２６】
排泄物の除去（9）を進めるために、ラッチ（5）を持って、ロック（円筒形回転のロック装置）を解除したら、位置A（使用中の位置）から、回転円筒形（2）（図4、図5、図6、図7で示す図の順序で時計回り）を位置B（排泄物排出の位置）に向けて、一般的には、水平回転軸で回転させる。この回転中に重力によりリターは脱着可能なリタートレイ（3）から離れて、濾過グリッド（2.2）（図5）を通過することで清潔なリター（小さな物質）が回転円筒形（2）のチャンバーの内部に入る一方で、塊（大きな物質、残留物、尿とリターの塊、糞）は円筒形（図6）の内部に残る。
【００２７】
回転円筒形（2）の横方向開口部（2.3）が円筒形の下部に到達すると、塊は重力により、排泄物収集引き出し（4）内に落ちる。ラッチ（5）が位置Bに到達した時に、システムはロックされて、排出がなされる（図7）。
【００２８】
排出後は、ラッチ（5）を用いて、位置Bにロック状態で、清潔なリターはチャンバーの内部にあるので、空になった着脱可能なリタートレイを取り外すことができる。このステージになったら、着脱可能なリタートレイ（3）は簡単で、実用的な方法で洗浄できる。着脱可能なリタートレイ（3）のシステムへの再挿入後は、ラッチ（5）は位置Bから開錠され、位置Cに向かって逆回転させる（着脱可能なリタートレイ（3）の粒状物レベリング位置（9））。逆回転中に清潔なリターは逆方向に移動して、濾過グリッド（2.2）を通過してチャンバー（2.1）から出て、着脱可能なリタートレイ（3）に戻る。位置Cに到達したら、着脱可能なリタートレイ（3）の傾斜（図8）により、着脱可能なリタートレイ（3）の中で粒状物は水平になる（図6）。次に、ラッチ（5）がシステムをロックする位置Aに向かって再度、回転方向を逆転させて、着脱可能なリタートレイ（3）を水平な位置にすればシステムを再度、使用する準備が完了する。
【００２９】
ラッチ（5）は動物が着脱可能なリタートレイ（3）を使用している時に、回転円筒形の回転を防止し、また排泄物収集引き出し（4）への排泄物排出（9）が完了して、システムから着脱可能なリタートレイ（3）を取り外す必要がある時に回転を防止する。
【００３０】
回転円筒形（2）の回転は手動またはエンジンによっても可能である。全体システムはいかなる種類の材料でも、サイズの制限もなく製造できる。チャンバー内の濾過グリッド（2.2）および支持台のグリッド（7）は如何なる形状および分別サイズでも使用できる。
【００３１】
基本的構造（1）の形状は多様である。
【図面の簡単な説明】
【００３２】
【図１】X線ビジョンでの脱着可能なリタートレイを有する動物の排泄物処理の円筒形システム。
【図２】回転円筒形の構成。
【図３】パーツ組立を示す、脱着可能なリタートレイを有する動物の排泄物処理の円筒形システム。
【図４】操作位置にあり、排泄物が脱着可能トレイにある、脱着可能なリタートレイを有する動物の排泄物処理の円筒形システム。
【図５】粒状物が脱着可能なトレイから出た後に、チャンバーの内部により細かいものを通過させる濾過グリッドを通過するステージでの、脱着可能なリタートレイを有する動物の排泄物処理の円筒形システム（内部を可視化するのに回転円筒形の前面を部分的にカットして示す）。
【図６】清潔な粒状物がチャンバー内にあり、排泄物が外側にあるステージでの、脱着可能なリタートレイを有する動物の排泄物処理の円筒形システム（内部を可視化するのに回転円筒形の前面を部分的にカットして示す）。
【図７】排泄物が排泄物の取外しできる引き出しに移動した時で、清潔なリターはチャンバーの内部にあって、かつリターの無いトレイは移動することができる時の、脱着可能なリタートレイを有する動物の排泄物処理の円筒形システム（内部を可視化するのに回転円筒形の前面を部分的にカットして示す）。
【図８】リタートレイ内のレベリング位置での、脱着可能なリタートレイを有する動物の排泄物処理の円筒形システム。
【図１】
2018515149.tif 000003
【図２】
2018515149.tif 000004
【図３】
2018515149.tif 000005
【図４】
2018515149.tif 000006
【図５】
2018515149.tif 000007
【図６】
2018515149.tif 000008
【図７】
2018515149.tif 000009
【図８】
2018515149.tif 000010
【国際調査報告】
2018515149.tif 000011
2018515149.tif 000012